(57)【要約】  本発明にかかる黄疸計では、箱形の筐体における一方方向の一方端の端面にプローブが設けられ、前記筐体における互いに対向する各面それぞれに表示部と方向設定凸部とが設けられ、前記ユーザにおける手指の長手方向が前記筐体の前記一方方向と交差するように、前記方向設定凸部によって、前記筐体を持つ方向が定められる。
2014006827.tif 000002
【特許請求の範囲】
【請求項１】
一方方向が他方方向に対し長い箱形の筐体と、
前記箱形の筐体における前記一方方向の一方端の端面に設けられ、測定光を射出して該測定光に起因する検出光を入射するプローブと、
前記箱形の筐体における一方面に設けられ、前記検出光に基づいて求められた黄疸の程度を示す測定結果を表示する表示部と、
前記一方面に対向する前記箱形の筐体における他方面に設けられ、ユーザが手で前記筐体を持つ場合に、前記ユーザにおける手指の長手方向が前記筐体の前記一方方向と交差するように持つ方向を定める方向設定凸部とを備えること
を特徴とする黄疸計。
【請求項２】
前記方向設定凸部は、前記他方面における前記一方方向での中央部を含む第１領域に設けられること
を特徴とする請求項１に記載の黄疸計。
【請求項３】
前記箱形の筐体における一方面に設けられ、ユーザが手で前記筐体を持つ場合に、前記ユーザにおける親指の位置を定める親指位置設定部をさらに備え、
前記方向設定凸部は、前記親指位置設定部で定められた位置に親指を位置させた場合に、残余の人差指ないし小指のうちの複数の手指が届く範囲の第２領域に設けられること
を特徴とする請求項１または請求項２に記載の黄疸計。
【請求項４】
前記方向設定凸部は、３個以上の小凸部から成る構造体、球体の一部を切り取った形状の一部球体、楕円体の一部を切り取った形状の一部楕円体、円錐台体、楕円錐台体および多角錐台体のうちのいずれかであること
を特徴とする請求項１ないし請求項３のいずれか１項に記載の黄疸計。
【請求項５】
前記方向設定凸部は、楕円体の一部を切り取った形状の一部楕円体または楕円錐台体であり、
前記一部楕円体または楕円錐台体の長軸方向は、前記筐体の前記一方方向を中心に±１５度の範囲内であること
を特徴とする請求項１ないし請求項３のいずれか１項に記載の黄疸計。
【請求項６】
前記箱形の筐体は、前記一方方向の一方端に向かって先細る形状であること
を特徴とする請求項１ないし請求項５のいずれか１項に記載の黄疸計。
【請求項７】
前記表示部は、表示面上に位置入力装置を備えることによってタッチパネルを構成していること
を特徴とする請求項１ないし請求項６のいずれか１項に記載の黄疸計。
【発明の詳細な説明】
【技術分野】
【０００１】
本発明は、黄疸計に関し、特に、プローブの汚損を低減することができる黄疸計に関する。
【背景技術】
【０００２】
黄疸は、赤血球中のヘモグロビンの分解によって生じたビリルビンが何らかの障害によって生体から排出されず、血液が高ビリルビン血症となり、この高ビリルビン血症の血中におけるビリルビンが生体組織に沈着することによって生体組織が黄染し、出現する。このビリルビンは、弾性線維との親和性が高いため、弾性線維の豊富な皮膚、強膜および血管等に沈着する。また、胎生期の胎児は、胎盤による酸素交換が肺による酸素交換より効率が良くないため、不足する酸素を補うためにその赤血球数が成人と比較して１．５倍から２倍程度多い。出生により肺呼吸が可能になると、血中の赤血球が過多となり、余分な赤血球が分解される。このため、新生児は、このような生理現象によって黄疸となり、この黄疸は、新生児黄疸と呼ばれる。【０００３】
この新生児黄疸は、時に重症に推移することがあり、新生児の生命や脳の発育に重大な影響を与える危険性がある。このため、新生児黄疸は、早期に適切に発見し、治療を行う必要がある。黄疸症状の強さ（黄疸の程度）の正確な判定は、血中のビリルビン値を測定するべきであるが、全ての新生児から採血して測定することは困難であり、また現実的ではない。【０００４】
そのため、従来、非侵襲であって比較的短時間で測定することができる光学式の黄疸計が開発されており、例えば、特許文献１等に開示されている。この特許文献１に開示の黄疸計は、皮下組織に沈着しているビリルビンによって短波長側の光が長波長側の光よりも多く吸収されるという現象に基づいて黄疸の程度を測定する機器である。この光学式の黄疸計は、一方端が先細る略直方体形状のケーシングと、前記ケーシングにおける前記先細る一方端の端面に設けられた、測定光を射出するとともに測定光の後方散乱光を入射するプローブと、前記ケーシングの一方主面に設けられた表示部とを備えている。【０００５】
ところで、前記黄疸計では、前記プローブを、被測定者の人体の一部に垂直に押し付けて黄疸の程度が測定され、ユーザは、前記プローブが手前になるように黄疸計を把持して、表示部に表示された測定結果を参照している。このため、このような構造の黄疸計では、測定結果を参照する場合に、前記プローブの入出射面がユーザの手、手首あるいは腕等の皮膚に当たってしまい、汚損してしまうことがあった。この汚損が生じると、入出射する光の光量が低減してしまい、正常な状態で黄疸を測定することが阻害されてしまう。
【先行技術文献】
【特許文献】
【０００６】
【特許文献１】特開２０００−２７９３９８号公報
【発明の概要】
【０００７】
本発明は、上述の事情に鑑みて為された発明であり、その目的は、プローブの汚損を低減することができる黄疸計を提供することである。
【０００８】
本発明にかかる黄疸計では、箱形の筐体における一方方向の一方端の端面にプローブが設けられ、前記筐体における互いに対向する各面それぞれに表示部と方向設定凸部とが設けられ、前記ユーザにおける手指の長手方向が前記筐体の前記一方方向と交差するように、前記方向設定凸部によって、前記筐体を持つ方向が定められる。このため、このような黄疸計は、前記方向設定凸部を備えるので、プローブの汚損を低減することができる。
【０００９】
上記並びにその他の本発明の目的、特徴及び利点は、以下の詳細な記載と添付図面から明らかになるであろう。
【図面の簡単な説明】
【００１０】
【図１】実施形態における黄疸計の電気的な構成を示すブロック図である。
【図２】第１実施形態における黄疸計の外観構成を示す６面図である。
【図３】第１実施形態における黄疸計の外観を示す斜視図である。
【図４】第１実施形態における黄疸計の持ち方を説明するための図である。
【図５】第１実施形態における黄疸計を持った場合の手指の様子を説明するための断面図である。
【図６】第２実施形態における黄疸計の背面外観を示す背面斜視図である。
【図７】第３実施形態における黄疸計の背面外観を示す背面斜視図である。
【図８】第４実施形態における黄疸計の正面外観を示す正面斜視図である。
【発明を実施するための形態】
【００１１】
以下、本発明にかかる実施の一形態を図面に基づいて説明する。なお、各図において同一の符号を付した構成は、同一の構成であることを示し、適宜、その説明を省略する。また、本明細書において、総称する場合には添え字を省略した参照符号で示し、個別の構成を指す場合には添え字を付した参照符号で示す。
【００１２】
図１は、実施形態における黄疸計の電気的な構成を示すブロック図である。図２は、第１実施形態における黄疸計の外観構成を示す６面図である。図２Ａは、一方側面図（左側面図）であり、図２Ｂは、正面図であり、図２Ｃは、他方側面図（右側面図）であり、図２Ｄは、背面図であり、図２Ｅは、後端面図であり、そして、図２Ｆは、入出射口から見た先端面図である。図３は、第１実施形態における黄疸計の外観を示す斜視図である。図３Ａは、正面斜視図であり、図３Ｂは、背面斜視図である。図４は、第１実施形態における黄疸計の持ち方を説明するための図である。図４Ａは、タッチパネルの表示を見る場合やタッチパネルを入力操作する場合等における黄疸計の持ち方を説明するための図であり、図４Ｂは、黄疸計で測定する場合における黄疸計の持ち方を説明するための図である。図５は、第１実施形態における黄疸計を持った場合の手指の様子を説明するための断面図である。
【００１３】
本実施形態における黄疸計は、皮下組織に沈着しているビリルビンによって短波長側の光が長波長側の光よりも多く吸収されるという現象に基づき黄疸の程度を測定する光学式の装置である。このような光学式の黄疸計Ａａにおける電気的な構成は、図１に示すように、測定部１と、信号処理部２と、演算制御部３と、入力部４と、表示部５と、インターフェース部（以下、「ＩＦ部」と略記する。）６とを備えている。
【００１４】
測定部１は、演算制御部３の制御に従って、光を皮膚に入射させ、皮下組織中のビリルビンが沈着している脂肪層で散乱することによって皮膚表面から射出される後方散乱の散乱光を互いに異なる２個の波長で受光する装置である。測定部１は、例えば、測定光を発光する光源と、前記光源から放射された測定光をプローブ１１に導光する第１導光部材と、プローブ１１に入射された散乱光を導光する第２および第３導光部材と、第２導光部材で導光された光を２つに分配する第１ミラーと、第１ミラーで分配された一方の光を第１拡散板および第１光学フィルタを介して受光する第１受光部と、第１ミラーで分配された他方の光を第２拡散板および第２光学フィルタを介して受光する第２受光部と、第３導光部材で導光された光を２つに分配する第２ミラーと、第２ミラーで分配された一方の光を第３拡散板および第３光学フィルタを介して受光する第３受光部と、第２ミラーで分配された他方の光を第４拡散板および第４光学フィルタを介して受光する第４受光部とを備えている。前記光源は、例えば、円柱形状のキセノンランプ（キセノン管）であり、測定光として白色光を閃光で発光する。第１ないし第３導光部材は、例えば、複数の光ファイバーを束ねた光ファイバー束である。第１導光部材における、測定光を射出する出射面１６は、図２Ｆに示すように、後述のプローブ１１の端面で外部に臨むように環状（リング状）で形成されており、前記第２導光部材における、測定光の散乱光を入射する入射面１５は、図２Ｆに示すように、前記第１導光部材の出射面１６を構成する環状（リング状）の内側に、円形状で、プローブ１１の端面で外部に臨むように形成されており、そして、前記第３導光部材における、測定光の散乱光を入射する入射面１７は、図２Ｆに示すように、前記第１導光部材の出射面１６を構成する環状（リング状）の外側に、環状（リング状）で、プローブ１１の端面で外部に臨むように形成されている。すなわち、複数の光ファイバーによって形成される第１導光部材の出射面１６と、複数の光ファイバーによって形成される第２および第３導光部材の入射面１５、１７とは、同心円状に位置している。このように第１ないし第３導光部材における出射面１６および入射面１５、１７を配置することによって、第２導光部材は、皮下の生体内を相対的に長い光路長で伝播した光を受光することができ、第３導光部材は、皮下の生体内を相対的に短い光路長で伝播した光を受光することができる。第１および第２ミラーは、ハーフミラー（半透鏡）またはダイクロイックミラーである。第１および第２ミラーがダイクロイックミラーである場合には、このダイクロイックミラーは、例えば、青色光の波長領域を含む光を反射するとともに緑色光の波長領域を含む光を透過するものである。第１ないし第４光学フィルタは、入射光を濾波して所定の透過波長帯域の光を射出するバンドパスフィルタであり、本実施形態では、第１および第３光学フィルタは、青色光を透過させるために、その透過波長帯域の中心波長が４５０ｎｍに設定され、第２および第４光学フィルタは、緑色光を透過させるために、その透過波長帯域の中心波長が５００ｎｍに設定されている。第１ないし第４受光部は、受光した光の光量に応じた大きさの電流に光電変換する光電変換素子であり、例えば、シリコンホトダイオードである。このような測定部１で得られた測定結果（受光信号）は、信号処理部２へ出力される。
【００１５】
信号処理部２は、測定部１で得られた測定結果（受光信号）に所定の信号処理を施して演算制御部３へ出力する回路である。信号処理部２は、第１ないし第４受光部の各受光信号をそれぞれ信号処理するために、第１ないし第４受光部のそれぞれに対応した第１ないし第４信号処理回路を備え、これら各信号処理回路は、それぞれ、例えば、電流信号の受光信号を電圧信号の受光信号に変換するＩＶ変換部と、前記ＩＶ変換部の出力を予め設定された所定の増幅率で増幅する増幅部と、前記増幅部の出力を、アナログ信号からディジタル信号へ変換（ＡＤ変換）するＡＤ変換部とを備えている。そして、前記ＡＤ変換部は、その変換結果のディジタル信号を演算制御部３へ出力する。すなわち、測定部１の出力（第１ないし第４受光部の各受光信号）は、これらＩＶ変換部、増幅部およびＡＤ変換部を介して演算制御部３に入力される。
【００１６】
入力部４ａは、例えば、黄疸の測定開始を指示するコマンド等の各種コマンド、および、例えば測定対象の識別子（ＩＤ）の入力等の黄疸の測定に伴う各種データを黄疸計Ａａに入力する機器である。表示部５は、入力部４ａから入力されたコマンドやデータ、および、黄疸計Ａａによって測定された黄疸の程度を出力する機器であり、例えばＣＲＴディスプレイ、液晶ディスプレイ（ＬＣＤ）、有機ＥＬディスプレイおよびプラズマディスプレイ等の表示装置である。本実施形態では、入力部４ａは、例えば抵抗膜方式や静電容量方式等の操作位置を検出して入力する位置入力装置であり、この位置入力装置と表示装置の表示部５とでタッチパネルが構成される。
【００１７】
このタッチパネルでは、表示装置の表示面上に位置入力装置が設けられ、表示装置に入力可能な１または複数の入力内容の候補が表示され、ユーザが、入力したい入力内容を表示した表示位置を触れると、位置入力装置によってその位置が検出され、検出された位置に表示された表示内容がユーザの操作入力内容として黄疸計Ａａに入力される。このようなタッチパネルでは、ユーザは、入力操作を直感的に理解し易いので、ユーザにとって取り扱い易い黄疸計Ａａが提供される。そして、表示装置に表示される表示内容を変えることで、様々な入力内容を入力することができ、黄疸計Ａａに対し様々な操作を行うことが可能となる。特に、被測定者の氏名や識別子（ＩＤ）等を入力することができ、電子カルテに対応することができる黄疸計Ａａを提供することができる。
【００１８】
ＩＦ部６は、外部機器との間でデータの入出力を行う回路であり、例えば、ＵＳＢ（Ｕｎｉｖｅｒｓａｌ  Ｓｅｒｉａｌ  Ｂｕｓ）規格を用いたインターフェース回路である。
【００１９】
演算制御部３は、黄疸の程度を求めるべく、黄疸計Ａの各部を当該各部の機能に応じてそれぞれ制御するものである。演算制御部３は、例えば、ＣＰＵ（Ｃｅｎｔｒａｌ  Ｐｒｏｃｅｓｓｉｎｇ  Ｕｎｉｔ）、このＣＰＵによって実行される種々のプログラムやその実行に必要なデータ等を予め記憶するＲＯＭ（Ｒｅａｄ  Ｏｎｌｙ  Ｍｅｍｏｒｙ）やＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等の不揮発性記憶素子、このＣＰＵのいわゆるワーキングメモリとなるＲＡＭ（Ｒａｎｄｏｍ  Ａｃｃｅｓｓ  Ｍｅｍｏｒｙ）等の揮発性記憶素子およびその周辺回路等を備えたマイクロコンピュータによって構成される。
【００２０】
測定部１は、演算制御部３の制御によって、上述のように、白色光の測定光を皮膚に入射させ、皮下組織の脂肪層で散乱することによって皮膚表面から射出される後方散乱の散乱光（検出光）を互いに異なる２個の波長で受光し、その測定結果を信号処理部２を介して演算制御部３に出力する。演算制御部３は、この測定結果（検出光）に基づいて、長光路長の各測定結果に対する黄疸の程度と短光路長の測定結果に対する黄疸の程度とを求め、それぞれ、表示部５へ出力する。より具体的には、演算制御部３は、青色（中心波長４５０ｎｍ）の光量と緑色（中心波長５５０ｎｍ）の光量との差から黄疸の程度を求める。すなわち、演算制御部３は、緑色を基準とした青色の光量（緑色光量に対する青色光量の比）から黄色の度合いを測定する。例えば、黄色の度合いが大きいと緑色を基準とした青色の光量が低くなるので、黄疸の度合いが強いと判定され、一方、黄色の度合いが小さいと緑色を基準とした青色の光量が高くなるので、黄疸の度合いが弱いと判定される。つまり、生体の皮下組織に存在するビリルビンの黄色味の度合いが、青色と緑色の２波長域の光学濃度差として検出される。
【００２１】
そして、黄疸計Ａａでは、このような測定部１、信号処理部２、演算制御部３、入力部４ａ、表示部５およびＩＦ部６は、ユーザ（測定者、医師や看護師等の医療従事者等）の掌に収まる大きさのケーシング（ハウジング、筐体）Ｈに収容されており、黄疸計Ａａは、ハンディタイプの装置となっている。
【００２２】
より具体的には、黄疸計Ａａでは、図２および図３に示すように、このケーシングＨは、一方方向（矢印ＡＲで示す方向）がこれに直交する他方方向に対し長い箱形の筐体（箱体）であり、その前記一方方向の一方端の端面には、測定光を射出して該測定光に起因する検出光を入射する円筒状のプローブ１１が設けられている。より詳しくは、図２および図３に示す例では、ケーシングＨは、前記一方方向の一方端（先端）に向かって徐々に先細る形状であり、プローブ１１は、この先細った先端面に設けられている。前記測定光は、上記例では白色光であり、前記検出光は、例えば、上述の後方散乱の散乱光である。
【００２３】
このプローブ１１は、矢印ＡＲで示すようにケーシングＨに対して出退自在に設けられている。このプローブ１１は、ばね部材等の図略の付勢手段（付勢部材）によりケーシングＨに対して突出方向（矢印方向ＡＲ）に付勢されており、ユーザが被測定者の人体の一部、例えば額部分や胸部分に垂直に押し付けると、前記付勢手段の付勢力に逆らってプローブ１１がケーシングＨ内に押し込まれ、測定部１の光源が発光するように構成されている。前記光源が発光すると、この光源から放射された測定光がプローブ１１の端面から出射し、被測定者の皮膚に入射するとともに、散乱による後方散乱の散乱光がプローブ１１を介してケーシングＨ内部の測定部１に入射するようになっている。すなわち、プローブ１１の端面は、測定光を出射する出射口および散乱光を入射する入射口である入出射口となっている。より具体的には、図２Ｆを用いて上述しように、プローブ１１の端面は、同心円状に配置された前記第１ないし第３導光部材における出射面１６および入射面１５、１７となっている。
【００２４】
ケーシングＨにおける一方主面の他方端側（上面の後端側）には、図２Ｂに示すように、上述の入力部４および表示部５から成るタッチパネルが設けられている。また、ケーシングＨの一方側面（右側面）の後端側には、図２Ｃに示すように、黄疸計Ａの電源を入り切りするための電源スイッチ１２が設けられている。また、前記一方主面に対向するケーシングＨにおける他方主面の他方端側（上面の後端側）には、１次元バーコードや、ＱＲコード（登録商標）等の２次元バーコード等のバーコードを読み込むことによって、前記バーコードで表されたデータを黄疸計Ａａに入力するバーコードリーダー１８が入力部４の一つとして設けられている。
【００２５】
そして、ケーシングＨにおける前記他方主面には、ユーザが手でケーシングＨを持つ場合に、前記ユーザにおける手指の長手方向がケーシングＨの前記一方方向と交差するように持つ方向を定める方向設定凸部１９ａが設けられている。より具体的には、この方向設定凸部１９ａは、円錐台形状の部材である円錐台体であり、前記他方主面における前記一方方向での略中央の位置である中央部を含む第１領域に設けられている。
【００２６】
また、ケーシングＨにおける前記一方面には、ユーザが手でケーシングＨを持つ場合に、前記ユーザにおける親指の位置を定める親指位置設定部２０が設けられている。より具体的には、ケーシングＨは、前記タッチパネルの表示面より先端側が斜面（テーパ面）または凹曲面を経て前記タッチパネルの表示面よりも高く盛り上げられており、この斜面（テーパ面）または凹曲面が親指位置設定部２０となっている。すなわち、前記タッチパネルの表示面より先端側に、前記タッチパネルの表示面に対して高低差のある段差部が設けられており、この段差部が、斜面（テーパ面）または凹曲面で形成され、親指位置設定部２０となっている。
【００２７】
そして、この親指位置設定部２０を起点に方向設定凸部１９ａを規定すると、方向設定凸部１９ａは、親指位置設定部２０で定められた位置にユーザの親指を位置させた場合に、残余の人差指ないし小指のうちの複数の手指が届く範囲の第２領域に設けられている。つまり、図２および図３に示す例では、方向設定凸部１９ａが設けられた前記第１領域は、親指位置設定部２０で定められた位置にユーザの親指を位置させた場合に、残余の人差指ないし小指のうちの複数の手指が届く範囲の第２領域でもある。
【００２８】
また、図２および図３に示す例では、これら方向設定凸部１９ａおよび親指位置設定部２０は、ケーシングＨと一体に形成されている。
【００２９】
このような構造の方向設定凸部１９ａでは、ユーザが手でケーシングＨを持つ場合に、前記ユーザの手指のうち小指、薬指、中指および人差指は、それぞれ、小指、薬指、中指および人差指の各指関節を屈曲させることによって形成される手の凹所に、方向設定凸部１９ａの円錐台体が嵌り込むように、方向設定凸部１９ａの円錐台体に掛けられる。したがって、方向設定凸部１９ａは、前記手の凹所によって包み込まれる程度の大きさで形成されている。
【００３０】
このような構成の本実施形態における黄疸計Ａａは、方向設定凸部１９ａを備えるので、プローブ１１の汚損を低減することができる。すなわち、仮に、表示部５を備える一方主面に対向する他主方面が平坦（フラット）である場合には、ユーザは、適当に（自由に）ケーシングＨを持って黄疸計Ａａを使用することになるので、プローブ１１の入出射面がユーザの手、手首あるいは腕等の皮膚に当たってしまう可能性がある。しかしながら、上記構成の黄疸計Ａａは、方向設定凸部１９ａを備えるので、ユーザは、図４Ａおよび図５に示すように、ユーザにおける手指の長手方向が筐体の一方方向（長手方向）と交差するようにケーシングＨを持つことになるので、プローブ１１の入出射面がユーザの手、手首あるいは腕等の皮膚に当たってしまう可能性を低減することができ、プローブ１１の汚損をより低減することができる。また、上記構成の黄疸計Ａａでは、ユーザが方向設定凸部１９ａを外して持とうとすると、方向設定凸部１９ａが凸形状であるために、持ち難く、また、持ったとしても不安定になってしまう。このため、結局、ユーザは、方向設定凸部１９ａに手指を掛けて黄疸計Ａａを持つことになる。したがって、このような観点からも、ユーザは、ユーザにおける手指の長手方向がケーシングＨの一方方向と交差するようにケーシングＨを持つことになるので、プローブ１１の汚損をより低減することができる。
【００３１】
また、上述の黄疸計Ａａでは、方向設定凸部１９ａが前記第１領域に設けられているので、ユーザは、図４Ａおよび図５に示すように、中央部辺りで黄疸計Ａａを支え持つことになるので、安定して支え持つことができる。
【００３２】
また、上述の黄疸計Ａａでは、方向設定凸部１９ａが前記第２領域（この例では前記第１領域）に設けられているので、親指が親指位置設定部２０に位置した場合に、残余の人差指ないし小指のうちの複数の手指が方向設定凸部１９ａにかかるので、図４Ｂに示すように、片手で安定して黄疸計Ａａを把持することができ、確実に測定動作を行うことができる。
【００３３】
また、上述の黄疸計Ａａでは、方向設定凸部１９ａが円錐台体であるので、ユーザの手指が方向設定凸部１９ａに好適に馴染み（フィットし）、黄疸計Ａａを片手で支えて持ち易い。
【００３４】
また、上述の黄疸計Ａａは、先細る形状の先端面にプローブ１１が設けられているので、測定部位を見定めることができ、所望の測定部位で確実に測定動作を行うことができる。特に、新生児の額部分や胸部分にプローブを垂直に押し当てて測定する場合に、所望の測定部位が比較的小面積であるため、上記構成の黄疸計Ａａは、好適である。
【００３５】
また、上述の黄疸計Ａａは、前記タッチパネルを備えるので、ユーザは、黄疸計Ａａを片手で支えて持ちながら親指で入力操作を行うことができる。
【００３６】
次に、別の実施形態について説明する。
【００３７】
（第２実施形態）
図６は、第２実施形態における黄疸計の背面外観を示す背面斜視図である。第２実施形態の黄疸計Ａｂは、第１実施形態の黄疸計Ａａにおける円錐台体の方向設定凸部１９ａに代え、他の形状の方向設定凸部１９ｂを備えるものである。このため、第２実施形態の黄疸計Ａｂは、方向設定凸部１９ｂの形状の点を除き、他は、第１実施形態の黄疸計Ａａと同様であるので、その説明を省略する。
【００３８】
第２実施形態の黄疸計Ａｂにおける方向設定凸部１９ｂは、３個以上の小凸部から成る構造体である。より具体的には、この方向設定凸部１９ｂは、例えば、図６に示すように、ユーザが手でケーシングＨを持つ場合に、前記ユーザの手指のうち薬指、中指および人差指がかかるように、４個の第１ないし第４小凸部１９１ｂ−１〜１９１ｂ−４を備えている。これら第１ないし第４小凸部１９１ｂ−１〜１９１ｂ−４は、それぞれ、前記一方方向と直交する前記他方方向に延びた、丸みのある半柱状体であり、先端から後端に向かって前記一方向に沿って並設されており、互いに隣接する小凸部１９１ｂ同士では、その裾部分で互いに繋がっている。また、これら第１ないし第４小凸部１９１ｂ−１〜１９１ｂ−４は、その高さが先端から後端に向かって徐々に低くなるように形成されている。そして、第２実施形態の黄疸計Ａｂにおける方向設定凸部１９ｂでは、前記一方向に沿った断面の外形は、略正弦波状の波形状となっている。
【００３９】
このような構造の方向設定凸部１９ｂでは、ユーザが手でケーシングＨを持つ場合に、前記ユーザの手指のうち薬指、中指および人差指は、それぞれ、第１小凸部１９１ｂ−１と第２小凸部１９１ｂ−２とによって形成される、第１小凸部１９１ｂ−１と第２小凸部１９１ｂ−２との間における第１凹所、第２小凸部１９１ｂ−２と第３小凸部１９１ｂ−３とによって形成される、第２小凸部１９１ｂ−２と第３小凸部１９１ｂ−３との間における第２凹所、および、第３小凸部１９１ｂ−３と第４小凸部１９１ｂ−４とによって形成される、第３小凸部１９１ｂ−３と第４小凸部１９１ｂ−４との間における第３凹所に、嵌り込んで掛けられる。
【００４０】
このため、第２実施形態における黄疸計Ａｂは、方向設定凸部１９ｂが波形状の構造体であるので、ユーザの手指が方向設定凸部１９ｂに好適に馴染み、黄疸計Ａｂを片手で支えて持ち易い。
【００４１】
次に、別の実施形態について説明する。
【００４２】
（第３実施形態）
図７は、第３実施形態における黄疸計の背面外観を示す背面斜視図である。第３実施形態の黄疸計Ａｃは、第１実施形態の黄疸計Ａａにおける円錐台体の方向設定凸部１９ａに代え、さらに他の形状の方向設定凸部１９ｃを備えるものである。このため、第３実施形態の黄疸計Ａｃは、方向設定凸部１９ｃの形状の点を除き、他は、第１実施形態の黄疸計Ａａと同様であるので、その説明を省略する。
【００４３】
第３実施形態の黄疸計Ａｃにおける方向設定凸部１９ｃは、例えば半球体等の、球体の一部を切り取った形状の部材である一部球体である。このような構造の方向設定凸部１９ｃでは、ユーザが手でケーシングＨを持つ場合に、前記ユーザの手指のうち小指、薬指、中指および人差指は、それぞれ、小指、薬指、中指および人差指の各指関節を屈曲させることによって形成される凹所に方向設定凸部１９ｃの一部球体が嵌り込むように、方向設定凸部１９ｃの一部球体に掛けられる。
【００４４】
このため、第３実施形態における黄疸計Ａｃは、方向設定凸部１９ｃが一部球体であるので、ユーザの手指が方向設定凸部１９ｃに好適に馴染み、黄疸計Ａｃを片手で支えて持ち易い。
【００４５】
次に、別の実施形態について説明する。
【００４６】
（第４実施形態）
図８は、第４実施形態における黄疸計の正面外観を示す正面斜視図である。第１実施形態の黄疸計Ａａでは、入力部４としてタッチパネルの位置入力装置４ａが用いられたが、第４実施形態の黄疸計Ａｄでは、タッチパネルの位置入力装置４ａに代え、あるいは、タッチパネルの位置入力装置４ａに追加して、入力部４として複数の機械式のスイッチ４ｂが用いられる。このため、第４実施形態の黄疸計Ａｄは、入力部４ｂの点を除き、他は、第１実施形態の黄疸計Ａａと同様であるので、その説明を省略する。
【００４７】
第４実施形態の黄疸計Ａｄにおける入力部４ｂは、図８に示すように、複数の押しボタンスイッチ４ｂを備える。これら複数の押しボタンスイッチ４ｂは、表示部５と親指位置設定部２０との間に配置されており、押すことでスイッチが開閉される。各押しボタンスイッチ４ｂには、予め所定の入力内容が設定されており、押すことで入力内容が黄疸計Ａｄに入力される。このように入力部４として複数のスイッチ４ｂが用いられてもよい。
【００４８】
なお、これら上述の第１ないし第４実施形態の黄疸計Ａａ、Ａｂ、Ａｃ、Ａｄでは、方向設定凸部１９は、円錐台体１９ａ、波形状の構造体１９ｂ、一部球体１９ｃであったが、これに限定されるものではなく、他の態様も取り得る。例えば、方向設定凸部１９は、楕円体の一部を切り取った形状の部材である一部楕円体、楕円錘台の形状の部材である楕円錐台体および多角錘台の形状の部材である多角錐台体のうちのいずれかであってもよい。このような態様であっても、ユーザが手でケーシングＨを持つために、人差指ないし小指のうちの複数の手指が方向設定凸部１９に掛けられる場合に、方向設定凸部１９が上記形状であるので、前記複数の手指が方向設定凸部１９に好適に馴染み、黄疸計Ａを片手で支えて持ち易い。
【００４９】
また、特に、方向設定凸部１９が一部楕円体または楕円錐台体である場合には、好ましくは、前記一部楕円体または楕円錐台体の長軸方向は、ケーシングＨの前記一方方向を中心に±１５度の範囲内である。このような構成の黄疸計Ａでは、黄疸計Ａを片手で支え持った場合に、プローブ１１の入出射面がユーザの手、手首あるいは腕等の皮膚に当たることをより確実に避けることができ、プローブ１１の汚損をより確実に低減することができる。このような観点から、前記一部楕円体または楕円錐台体の長軸方向は、ケーシングＨの前記一方方向を中心に±１０度の範囲内であることが好ましく、前記一部楕円体または楕円錐台体の長軸方向は、前記筐体の前記一方方向を中心に±５度の範囲内であることがより好ましい。
【００５０】
本明細書は、上記のように様々な態様の技術を開示しているが、そのうち主な技術を以下に纏める。
【００５１】
一態様にかかる黄疸計は、一方方向が他方方向に対し長い箱形の筐体と、前記箱形の筐体における前記一方方向の一方端の端面に設けられ、測定光を射出して該測定光に起因する検出光を入射するプローブと、前記箱形の筐体における一方面に設けられ、前記検出光に基づいて求められた黄疸の程度を示す測定結果を表示する表示部と、前記一方面に対向する前記箱形の筐体における他方面に設けられ、ユーザが手で前記筐体を持つ場合に、前記ユーザにおける手指の長手方向が前記筐体の前記一方方向と交差するように持つ方向を定める方向設定凸部とを備える。
【００５２】
仮に、表示部を備える一方面に対向する他方面が平坦（フラット）である場合には、ユーザは、適当に筐体を持って黄疸計を使用することになるので、プローブの入出射面がユーザの手、手首あるいは腕等の皮膚に当たってしまう可能性がある。しかしながら、上記黄疸計は、方向設定凸部を備えるので、ユーザは、ユーザにおける手指の長手方向が筐体の一方方向（長手方向）と交差するように筐体を持つことになるので、プローブの入出射面がユーザの手、手首あるいは腕等の皮膚に当たってしまう可能性を低減することができ、プローブの汚損をより低減することができる。また、上記黄疸計では、ユーザが方向設定凸部を外して持とうとすると、方向設定凸部が凸形状であるために、持ち難く、また、持ったとしても不安定になってしまう。このため、結局、ユーザは、方向設定凸部に手指を掛けて黄疸計を持つことになる。したがって、このような観点からも、ユーザは、ユーザにおける手指の長手方向が筐体の一方方向と交差するように筐体を持つことになるので、プローブの汚損をより低減することができる。
【００５３】
また、他の一態様では、これら上述の黄疸計において、前記方向設定凸部は、前記他方面における前記一方方向での中央部を含む第１領域に設けられる。
【００５４】
このような黄疸計は、中央部辺りで黄疸計を支え持つことになるので、安定して支え持つことができる。
【００５５】
また、他の一態様では、これら上述の黄疸計において、前記箱形の筐体における一方面に設けられ、ユーザが手で前記筐体を持つ場合に、前記ユーザにおける親指の位置を定める親指位置設定部をさらに備え、前記方向設定凸部は、前記親指位置設定部で定められた位置に親指を位置させた場合に、残余の人差指ないし小指のうちの複数の手指が届く範囲の第２領域に設けられる。
【００５６】
黄疸計では、上述したように、プローブを被測定者の人体の一部に垂直に押し付けて測定動作が行われる。上記黄疸計では、親指が親指位置設定部に位置した場合に、残余の人差指ないし小指のうちの複数の手指が方向設定凸部にかかるので、片手で安定して黄疸計を把持することができ、確実に測定動作を行うことができる。
【００５７】
また、他の一態様では、これら上述の黄疸計において、前記方向設定凸部は、３個以上の小凸部から成る構造体、球体の一部を切り取った形状の一部球体、楕円体の一部を切り取った形状の一部楕円体、円錐台体、楕円錐台体および多角錐台体のうちのいずれかである。
【００５８】
このような黄疸計では、人差指ないし小指のうちの複数の手指が方向設定凸部に掛けられる場合に、方向設定凸部が上記形状であるので、前記複数の手指が方向設定凸部に好適に馴染み（フィットし）、黄疸計を片手で支えて持ち易い。
【００５９】
また、他の一態様では、これら上述の黄疸計において、前記方向設定凸部は、楕円体の一部を切り取った形状の一部楕円体または楕円錐台体であり、前記一部楕円体または楕円錐台体の長軸方向は、前記筐体の前記一方方向を中心に±１５度の範囲内である。
【００６０】
このような黄疸計では、一部楕円体または楕円錐台体であるので、前記複数の手指が方向設定凸部に好適に馴染み（フィットし）、黄疸計を片手で支えて持ち易い。そして、このように黄疸計を片手で支え持った場合に、前記一部楕円体または楕円錐台体の長軸方向が、前記筐体の前記一方方向を中心に±１５度の範囲内であるので、プローブの入出射面がユーザの手、手首あるいは腕等の皮膚に当たることをより確実に避けることができ、プローブの汚損をより確実に低減することができる。このような観点から、前記一部楕円体または楕円錐台体の長軸方向は、前記筐体の前記一方方向を中心に±１０度の範囲内であることが好ましく、前記一部楕円体または楕円錐台体の長軸方向は、前記筐体の前記一方方向を中心に±５度の範囲内であることがより好ましい。
【００６１】
また、他の一態様では、これら上述の黄疸計において、前記箱形の筐体は、前記一方方向の一方端に向かって先細る形状である。
【００６２】
このような黄疸計は、先細る形状の先端面にプローブが設けられることになるので、測定部位を見定めることができ、所望の測定部位で確実に測定動作を行うことができる。特に、新生児の額部分や胸部分にプローブを垂直に押し当てて測定する場合に、所望の測定部位が比較的小面積であるため、上記構成の黄疸計は、好適である。
【００６３】
また、他の一態様では、これら上述の黄疸計において、前記表示部は、表示面上に位置入力装置を備えることによってタッチパネルを構成している。
【００６４】
このような黄疸計は、タッチパネルを備えるので、黄疸計を片手で支えて持ちながら親指で入力操作を行うことができる。
【００６５】
この出願は、２０１２年７月２日に出願された日本国特許出願特願２０１２−１４８４１９を基礎とするものであり、その内容は、本願に含まれるものである。
【００６６】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【００６７】
本発明によれば、黄疸計を提供することができる。
【図１】
2014006827.tif 000003
【図２】
2014006827.tif 000004
【図３】
2014006827.tif 000005
【図４】
2014006827.tif 000006
【図５】
2014006827.tif 000007
【図６】
2014006827.tif 000008
【図７】
2014006827.tif 000009
【図８】
2014006827.tif 000010
【国際調査報告】
2014006827.tif 000011
2014006827.tif 000012
2014006827.tif 000013